【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
電力変換装置入力から電力変換装置出力へのエネルギーの伝達を制御する電力スイッチのスイッチングを制御する駆動信号を生成するように結合された駆動回路と、
前記電力変換装置出力に応答して、有効化イベントを含む有効化信号を受信するための入力であって、前記駆動回路が、前記有効化イベントに応答して、前記電力スイッチをオンに切り替えることと、電力スイッチ電流が電流制限閾値に達したことに応答して、前記電力スイッチをオフに切り替えることとをするために前記駆動信号を生成するように結合された、前記入力と、
前記駆動回路から前記駆動信号を受信するように、および、スイッチング周期ごとに変化する速度で前記電流制限閾値を各前記スイッチング周期中に変化させるように結合された電流制限閾値生成器であって、前記電流制限閾値生成器が、前記駆動信号と前記有効化信号の前記有効化イベントとに応答して前記電流制限閾値を変化させる、前記電流制限閾値生成器と、
を備える、電力変換装置において使用される制御装置。
【請求項２】
前記電流制限閾値が、可変速度で上昇し、固定の速度で低下する、
請求項１に記載の制御装置。
【請求項３】
前記有効化信号の連続した前記有効化イベント間の期間が、前記電力変換装置出力に応答する、
請求項１に記載の制御装置。
【請求項４】
前記有効化イベントが、前記有効化信号における１つの論理状態から他の論理状態への遷移を含む、
請求項１に記載の制御装置。
【請求項５】
前記電流制限閾値生成器が、前記電力変換装置出力に結合された出力負荷の範囲にわたって、前記有効化信号の連続した前記有効化イベント間の期間に応答して、前記電流制限閾値を変化させるように結合された、
請求項１に記載の制御装置。
【請求項６】
前記電流制限閾値生成器が、前記電力スイッチの各オン期間の終了に応答して、可変速度で前記電流制限閾値を上昇させるように結合された、
請求項１に記載の制御装置。
【請求項７】
前記電流制限閾値生成器が、前記電力スイッチの各オン期間の終了に応答して、固定の期間中、連続的な手法で前記電流制限閾値の速度を電流制限閾値範囲内において上昇させるように結合された、
請求項１に記載の制御装置。
【請求項８】
前記電流制限閾値生成器が、ジッタ生成器を備える、
請求項１に記載の制御装置。
【請求項９】
前記ジッタ生成器が、電流制限閾値範囲内において可変速度で前記電流制限閾値を上昇させるように結合された、
請求項８に記載の制御装置。
【請求項１０】
前記電流制限閾値生成器が、ワンショットパルスを生成して固定の期間を決定するように結合された単安定マルチバイブレーターを含み、
前記単安定マルチバイブレーターが、前記駆動信号を受信して、前記電力スイッチの各オン期間の終了に応答して、前記ワンショットパルスを生成するように結合された、
請求項１に記載の制御装置。
【請求項１１】
電力変換装置入力から電力変換装置出力へのエネルギーの伝達を制御する電力スイッチのスイッチングを制御する駆動信号を生成するように結合された駆動回路と、
前記電力変換装置出力に応答して、有効化イベントを含む有効化信号を受信するための入力であって、前記駆動回路が、前記有効化イベントに応答して、前記電力スイッチをオンに切り替えるために駆動信号を生成するように結合され、前記駆動回路が、電力スイッチ電流が電流制限閾値に達したことに応答して、前記電力スイッチをオフに切り替えるために駆動信号を生成するように結合された、前記入力と、
前記駆動回路から前記駆動信号を受信して前記電流制限閾値を生成するように結合された電流制限閾値生成器であって、前記電流制限閾値生成器が、前記電力スイッチの各オン期間の終了後、固定の期間中、スイッチング周期ごとに変化する速度で電流制限閾値範囲内において前記電流制限閾値を各前記スイッチング周期中に上昇させるように結合され、前記電流制限閾値生成器が、前記固定の期間後、前記電力スイッチ電流が前記電流制限閾値に達するまで、固定の低下速度で前記電流制限閾値範囲内において前記電流制限閾値を低下させるように結合された、前記電流制限閾値生成器と、
を備える、電力変換装置において使用される制御装置。
【請求項１２】
前記駆動回路が、前記駆動信号を生成するように結合された、および、前記有効化イベントに応答して、セットされるように結合された、ラッチを含み、
前記駆動回路が、前記電力スイッチ電流を表す電流検出信号と前記電流制限閾値との比較に応答して、前記ラッチをリセットするように結合された可変電流源をさらに含む、
請求項１１に記載の制御装置。
【請求項１３】
前記電流制限閾値生成器が、ワンショットパルスを生成して前記固定の期間を決定するように結合された単安定マルチバイブレーターを含み、
前記単安定マルチバイブレーターが、前記駆動信号を受信し、前記電力スイッチの各前記オン期間の前記終了に応答して、前記ワンショットパルスを生成するように結合された、
請求項１１に記載の制御装置。
【請求項１４】
前記電流制限閾値生成器が、前記電流制限閾値を生成するように結合されたコンデンサを含み、
前記電流制限閾値が前記電流制限閾値範囲内である場合、前記コンデンサが、前記固定の期間中、第１の電流源により充電されるように結合され、
前記電流制限閾値が前記電流制限閾値範囲内である場合、前記コンデンサが、前記固定の期間後、第２の電流源により放電されるように結合される、
請求項１１に記載の制御装置。
【請求項１５】
前記第２の電流源が、前記電力変換装置入力に結合された入力電圧に応答するように結合された、
請求項１４に記載の制御装置。
【請求項１６】
前記第２の電流源が、前記入力電圧の第１の値に応答して、第１の速度で前記コンデンサを放電するように結合され、
前記第２の電流源が、前記入力電圧の第２の値に応答して、第２の速度で前記コンデンサを放電するように結合された、
請求項１５に記載の制御装置。
【請求項１７】
前記第１の電流源が、前記コンデンサと最大電流制限閾値基準電圧との間に結合された第１のカレントミラーを含み、
前記第２の電流源が、前記コンデンサと最小電流制限閾値基準電圧との間に結合された第２のカレントミラーを含む、
請求項１４に記載の制御装置。
【請求項１８】
前記第１のカレントミラーが、前記コンデンサと前記最大電流制限閾値基準電圧との間に結合されたｐ型金属酸化物半導体電界効果トランジスタを含み、
前記第２のカレントミラーが、前記コンデンサと前記最小電流制限閾値基準電圧との間に結合されたｎ型金属酸化物半導体電界効果トランジスタを含む、
請求項１７に記載の制御装置。
【請求項１９】
第１のミラーソースが、トランジスタを介して可変電流を受信するように結合された、
請求項１４に記載の制御装置。
【請求項２０】
前記トランジスタの制御端子が、ジッタ生成器によるジッタ信号に応答して、変化するように結合された、
請求項１９に記載の制御装置。
【請求項２１】
上昇速度の大きさが、前記低下速度の大きさより実質的に大きい、
請求項１４に記載の制御装置。
【手続補正２】
【補正対象書類名】明細書
【補正対象項目名】００６５
【補正方法】変更
【補正の内容】
【００６５】
本発明に関して示される例についての上述の説明は、要約で説明される事項を含め、網羅的であることも、開示される形態そのものへの限定であることも意図されない。本発明の特定の実施形態および例が、本明細書において例示を目的として説明されるが、本発明のより広い趣旨および範囲から逸脱することなく様々な同等な変更が可能である。実際、具体的で例示的な電圧、電流、周波数、出力範囲値、時間などが説明のために提示されることと、本発明の教示に従った他の実施形態および例において他の値も使用し得ることとが理解される。
（付記項１）
電力変換装置入力から電力変換装置出力へのエネルギーの伝達を制御する電力スイッチのスイッチングを制御する駆動信号を生成するように結合された駆動回路と、
電力変換装置出力に応答して、有効化イベントを含む有効化信号を受信するための入力であって、
駆動回路が、有効化イベントに応答して、電力スイッチをオンに切り替えるように、および、電力スイッチ電流が電流制限閾値に達したことに応答して、電力スイッチをオフに切り替えるように結合された、
入力と、
駆動回路から駆動信号を受信するように、および、有効化信号の有効化イベントに応答して、可変速度で電流制限閾値を変化させるように結合された電流制限閾値生成器と、
を備える、電力変換装置において使用される制御装置。
（付記項２）
電流制限閾値が、可変速度で上昇し、固定の速度で低下する、
付記項１に記載の制御装置。
（付記項３）
有効化信号の連続した有効化イベント間の期間が、電力変換装置出力に応答する、
付記項１に記載の制御装置。
（付記項４）
有効化イベントが、有効化信号における１つの論理状態から他の論理状態への遷移を含む、
付記項１に記載の制御装置。
（付記項５）
電流制限閾値生成器が、電力変換装置出力に結合された出力負荷の範囲にわたって、有効化信号の連続した有効化イベント間の期間に応答して、電流制限閾値を変化させるように結合された、
付記項１に記載の制御装置。
（付記項６）
電流制限閾値生成器が、電力スイッチの各オン期間の終了に応答して、可変速度で電流制限閾値を上昇させるように結合された、
付記項１に記載の制御装置。
（付記項７）
電流制限閾値生成器が、電力スイッチの各オン期間の終了に応答して、固定の期間中、連続的な手法で電流制限閾値の速度を電流制限閾値範囲内において上昇させるように結合された、
付記項１に記載の制御装置。
（付記項８）
電流制限閾値生成器が、ジッタ生成器を備える、
付記項１に記載の制御装置。
（付記項９）
ジッタ生成器が、電流制限閾値範囲内において可変速度で電流制限閾値を上昇させるように結合された、
付記項８に記載の制御装置。
（付記項１０）
電流制限閾値生成器が、ワンショットパルスを生成して固定の期間を決定するように結合された単安定マルチバイブレーターを含み、
単安定マルチバイブレーターが、駆動信号を受信して、電力スイッチの各オン期間の終了に応答して、ワンショットパルスを生成するように結合された、
付記項１に記載の制御装置。
（付記項１１）
電力変換装置入力から電力変換装置出力へのエネルギーの伝達を制御する電力スイッチのスイッチングを制御する駆動信号を生成するように結合された駆動回路と、
電力変換装置出力に応答して、有効化イベントを含む有効化信号を受信するための入力であって、
駆動回路が、有効化イベントに応答して、電力スイッチをオンに切り替えるように結合され、
駆動回路が、電力スイッチ電流が電流制限閾値に達したことに応答して、電力スイッチをオフに切り替えるように結合された、
入力と、
駆動回路から駆動信号を受信して電流制限閾値を生成するように結合された電流制限閾値生成器であって、
電流制限閾値生成器が、電力スイッチの各オン期間の終了後、固定の期間中、可変速度で電流制限閾値範囲内において電流制限閾値を上昇させるように結合され、
電流制限閾値生成器が、固定の期間後、電力スイッチ電流が電流制限閾値に達するまで、固定の低下速度で電流制限閾値範囲内において電流制限閾値を低下させるように結合された、
電流制限閾値生成器と、
を備える、電力変換装置において使用される制御装置。
（付記項１２）
駆動回路が、駆動信号を生成するように結合された、および、有効化イベントに応答して、セットされるように結合された、ラッチを含み、
駆動回路が、電力スイッチ電流を表す電流検出信号と電流制限閾値との比較に応答して、ラッチをリセットするように結合された可変電流源をさらに含む、
付記項１１に記載の制御装置。
（付記項１３）
電流制限閾値生成器が、ワンショットパルスを生成して固定の期間を決定するように結合された単安定マルチバイブレーターを含み、
単安定マルチバイブレーターが、駆動信号を受信し、電力スイッチの各オン期間の終了に応答して、ワンショットパルスを生成するように結合された、
付記項１１に記載の制御装置。
（付記項１４）
電流制限閾値生成器が、電流制限閾値を生成するように結合されたコンデンサを含み、
電流制限閾値が電流制限閾値範囲内である場合、コンデンサが、固定の期間中、第１の電流源により充電されるように結合され、
電流制限閾値が電流制限閾値範囲内である場合、コンデンサが、固定の期間後、第２の電流源により放電されるように結合される、
付記項１１に記載の制御装置。
（付記項１５）
第２の電流源が、電力変換装置入力に結合された入力電圧に応答するように結合された、
付記項１４に記載の制御装置。
（付記項１６）
第２の電流源が、入力電圧の第１の値に応答して、第１の速度でコンデンサを放電するように結合され、
第２の電流源が、入力電圧の第２の値に応答して、第２の速度でコンデンサを放電するように結合された、
付記項１４に記載の制御装置。
（付記項１７）
第１の電流源が、コンデンサと最大電流制限閾値基準電圧との間に結合された第１のカレントミラーを含み、
第２の電流源が、コンデンサと最小電流制限閾値基準電圧との間に結合された第２のカレントミラーを含む、
付記項１４に記載の制御装置。
（付記項１８）
第１のカレントミラーが、コンデンサと最大電流制限閾値基準電圧との間に結合されたｐ型金属酸化物半導体電界効果トランジスタ（ＭＯＳＦＥＴ）を含み、
第２のカレントミラーが、コンデンサと最小電流制限閾値基準電圧との間に結合されたｎ型ＭＯＳＦＥＴを含む、
付記項１４に記載の制御装置。
（付記項１９）
第１のミラーソースが、トランジスタを介して可変電流を受信するように結合された、
付記項１４に記載の制御装置。
（付記項２０）
トランジスタの制御端子が、ジッタ生成器によるジッタ信号に応答して、変化するように結合された、
付記項１９に記載の制御装置。
（付記項２１）
上昇速度の大きさが、低下速度の大きさより実質的に大きい、
付記項１４に記載の制御装置。